(57)【要約】【課題】冷房或いはドライ運転時の室外空気導入通風路の結露を抑えて通風路内のダニやカビの発生を抑制し、暖房運転時の室外空気導入を行い被空調室の乾燥を防ぐ空気調和機を提供する。【解決手段】室内熱交換器１１と、調温された空気を室内へ吹出す送風ファン１２と、吸込口２ｆと吹出口９を繋ぐ第１通風路１５と、室外空気を室内へ導く第２通風路と、第２通風路に設けられ外気を室内へ導入する給気ファン１８と、室内温度センサと、熱交換器温度センサと、室外温度センサと、室外湿度センサと、室外露点温度算出手段とを備えた空気調和機１において、冷房運転中或いはドライ運転中に、室外空気温度が室内温度より低く、且つ前記室外露点温度が前記熱交換器温度よりも低いとき給気ファン１８を運転する。【選択図】            図２
2005016830.tif 000002
【特許請求の範囲】
【請求項１】
室内熱交換器と、前記室内熱交換器で調温された空気を室内へ吹出す送風ファンと、室内に空気を吹出す吹出口と、室内空気を吸込む吸込口と、前記吸込口と前記吹出口を繋ぐ第１通風路と、室外空気を室内へ導く際に空気が流通する第２通風路と、前記第２通風路に設けられ、室外空気を室内へ導入する給気ファンと、室内温度を検出する室内温度センサと、前記室内熱交換器の温度を検出する熱交換器温度センサと、室外空気温度を検出する室外温度センサと、屋外の湿度を検出する室外湿度センサと、前記室外空気温度及び室外空気湿度から室外空気の露点温度を算出する室外露点温度算出手段とを備えた空気調和機において、
冷房運転中或いはドライ運転中に、室外空気温度が室内温度より低く、且つ前記室外露点温度が前記熱交換器温度よりも低いとき給気ファンを運転することを特徴とする空気調和機。
【請求項２】
請求項１に記載の記載の空気調和機において、
暖房運転中に、室外空気温度が室内温度より高いとき給気ファンを運転することを特徴とする空気調和機。
【請求項３】
請求項１または２に記載の記載の空気調和機において、
室内の湿度を検出する室内湿度センサと、室内温度及び室内湿度から室内空気の露点温度を算出する室内露点温度算出手段とを備え、暖房運転中に、前記室外露点温度が前記室内露点温度より高いとき給気ファンを運転することを特徴とする空気調和機。
【発明の詳細な説明】
【０００１】
【発明の属する技術分野】
本発明は、室内機に換気装置を有する空気調和機に関する。
【０００２】
【従来の技術】
室外機と室内機とを接続して構成される空気調和機において、前記室内機に換気装置を備えたものが一般的に知られている。
【０００３】
そして、前記室内機は、前記換気装置にて室内空気を屋外に排出したり、屋外の空気を室内に給気したりして該室内の換気を行うものである。（例えば、特許文献１参照）。
【０００４】
【特許文献１】
特開平８−１４５４３２号公報
【０００５】
【発明が解決しようとする課題】
しかし、上記従来例では、空調運転中に屋外から取り入れた空気の温度を基に室内温度センサの検出温度に補正を施すことにより、適切な空調能力に制御することに主眼が置かれ、室外空気の湿度が高い夏場の冷房或いはドライ運転時において屋外から空気を取り入れる際、室内機の熱交換器の温度が前記屋外空気の露点温度より低いと、屋外から取り入れる空気の通風路において結露が発生し、ダニやカビが発生してしまうという問題があった。
【０００６】
また、冬場の暖房運転時においては室温上昇に伴う湿度低下で部屋が必要以上に乾燥してしまうという問題があった。
【０００７】
そこで、本発明では上述の実状に鑑み、夏場の冷房或いはドライ運転時に屋外から取り入れる空気の通風路において通風路の結露を抑えることにより、前記通風路内のダニやカビの発生を抑制し、冬場の暖房運転時においては、室外空気導入を積極的に行うことにより被空調室の乾燥を防ぐことができる空気調和機を提供することを目的とする。
【０００８】
【課題を解決するための手段】
請求項１に記載の発明は、室内熱交換器と、前記室内熱交換器で調温された空気を室内へ吹出す送風ファンと、室内に空気を吹出す吹出口と、室内空気を吸込む吸込口と、前記吸込口と前記吹出口を繋ぐ第１通風路と、室外空気を室内へ導く際に空気が流通する第２通風路と、前記第２通風路に設けられ、室外空気を室内へ導入する給気ファンと、室内温度を検出する室内温度センサと、前記室内熱交換器の温度を検出する熱交換器温度センサと、室外空気温度を検出する室外温度センサと、屋外の湿度を検出する室外湿度センサと、前記室外空気温度及び室外空気湿度から室外空気の露点温度を算出する室外露点温度算出手段とを備えた空気調和機において、冷房運転中或いはドライ運転中に、室外空気温度が室内温度より低く、且つ前記室外露点温度が前記熱交換器温度よりも低いとき給気ファンを運転することを特徴とする。
【０００９】
請求項２に記載の発明は、請求項１に記載の記載の空気調和機において、暖房運転中に、室外空気温度が室内温度より高いとき給気ファンを運転することを特徴とする。
【００１０】
請求項３に記載の発明は、請求項１または２に記載の記載の空気調和機において、室内の湿度を検出する室内湿度センサと、室内温度及び室内湿度から室内空気の露点温度を算出する室内露点温度算出手段とを備え、暖房運転中に、前記室外露点温度が前記室内露点温度より高いとき給気ファンを運転することを特徴とする。
【００１１】
【発明の実施の形態】
以下、本発明の一実施形態を添付図面に従って説明する。
【００１２】
図１は、空気調和機に用いられるワイヤレスリモコン装置と空気調和機の関係を示す説明図である。
【００１３】
図１において空気調和機１は、室内機２、室外機３、及びワイヤレスリモコン装置５（以下、単にリモコンと記す）等から構成され、室内の壁等に取付けられる室内機２と屋外に設置される室外機３とが壁孔を通して配設される冷媒配管４にて接続される。そしてリモコン５に設けられたスイッチ操作により室内機２へ操作信号が送信され、空気調和機１の運転が行われる。
【００１４】
図２は、室内機の左断面図、図３は後ケース部の正面図である。
【００１５】
図２、図３において、室内機２は、前面側の前ケース部２Ａと、この前ケース部２Ａの前部に設けられ、吸込口２ｆを備えた吸込パネル２Ｂと、背面側に備えられる後ケース部２Ｃとで構成されている。
【００１６】
１１は、室内の空気を加熱／冷却（調温）する室内熱交換器で、その配管内を冷媒が通過することにより、冷房／ドライ運転時に蒸発器として作用し、冷却器として機能する。また、暖房運転時には、凝縮器として作用し、加熱器として機能するものである。
【００１７】
１２は、送風ファンでこの送風ファン１２の運転によって室内の空気を吸込みパネル２Ｂから吸込み、室内熱交換器１１で加熱／冷却して再び室内に循環させるものである。
【００１８】
６は、室内熱交換器１１からのドレン水を貯留し排出するためのドレンパン、７は、前記送風ファン１２により吸込まれた室内の空気内の比較的大きな塵や埃を除塵するエアフィルタ、８は、前記エアフィルタ７を通過した室内空気内の比較的細かい塵や埃を除塵する空気清浄フィルタである。
【００１９】
９は、室内熱交換器１１にて調温された空気を室内に吹出す温風／冷風の吹出口、９Ａは吹出口９に取付けられて吹出口９から吹出す温風／冷風の上下風向を制御するフラップ、１０は、前記吹出口９に取付けられて吹出口９から吹出す温風／冷風の左右風向を制御する複数の縦羽根である。前記フラップ９Ａには、その角度を調整する駆動用モータが取り付けられ、前記リモコン５の操作により回動自在に制御されるようになっている。
【００２０】
１５は、吸込口２ｆと吹出口９とを連通し縦断面が略円弧状の第１通風路で吹出口９へ滑らかに接続されて温風／冷風を導くものである。１５Ａは第１通風路１５の途中にその横幅一杯に設けられ、屋外の空気を室内へ導くための開口部である。
【００２１】
１６は、開口部１５Ａに設けられたダンパで、開口部１５Ａの上流側端部に設けられた軸１６Ａを支点に回動自在とし、開放時には第１通風路１５を遮るように開き、閉鎖時には第１通風路１５の内面に沿って滑らかに収納される。
【００２２】
１７は、開口部１５Ａの裏側に設けられた第２通風路で、屋外から取り入れた空気を開口部１５Ａを介して、前記吹出口９へと導くための風路である。前記第２通風路１７には、屋外から取り入れられた空気を室内へ導くホース部３３と、前記ホース部３３と連通し前記第１通風路１５へこの空気を導くダクト部１７Ａと、このダクト部１７Ａに前記ホース部３３を介して取り入れられた空気を給気する給気ファン１８とを備えている。
【００２３】
前記給気ファン１８にはシロッコファン又はターボファンが使用され、ダクト部１７Ａの右端に設けられてケーシング１８Ｂを有している。そのケーシング１８Ｂの吸込口１７Ｂには、屋外から取り入れられた空気を室内へ導く前記ホース部３３がホースバンド３３Ａで固定されている。
【００２４】
前記ホース部３３は、軟質の樹脂材料等で蛇腹状に構成され、室内機２の冷媒配管４（図１参照）と共に図示しない被調和室の外壁面に設けられた貫通孔を介して室外へと導かれる。
【００２５】
図４は本発明における空気調和機の冷媒回路及び制御系統を示す模式図である。
【００２６】
図４に示すように、空気調和機１は、室内機２及び室外機３を有しており、室外機３の室外冷媒配管１１４と室内機２の室内冷媒配管１１５とが、連結配管４ａ及び４ｂを介して連結される。
【００２７】
室外機３は室外に配置される。室外冷媒配管１１４には、圧縮機１１６が配設されるとともに、この圧縮機１１６の吸込み側にアキュームレータ１１７が配設され、圧縮機１１６の吐出側に四方弁１１８が配設され、この四方弁１１８側に室外熱交換器１１９、電動式膨張弁１２２が順次配設されて構成される。室外熱交換器１１９には、室外熱交換器１１９から室外へ送風する室外ファン１２０が隣接して配置される。この室外ファン１２０は、室外ファンモータ１２０Ａによって駆動される。この室外ファン１２０は、例えば、プロペラファンである。圧縮機１１６は、例えば、インバータ駆動型圧縮機である。
【００２８】
室内機２は、室内に設置され、室内冷媒配管１１５には室内熱交換器１１が配設される。この室内熱交換器１１には、室内熱交換器１１から室内へ送風する送風ファン１２が隣接して配置されている。この送風ファン１２は、送風ファンモータ１２Ａによって駆動される。この送風ファンは、例えば、クロスフローファンである。
【００２９】
空気調和機１には、空気調和機１全体を制御する制御装置１４０が備えられている。この制御装置１４０は、室外機３に設置される室外制御装置１４１と、室内機２に設置される室内制御装置１４２とを備えて構成される。室外制御装置１４１は、要求される空調負荷に応じて圧縮機１１６の運転周波数を制御し、室外ファン１２０の回転速度を段階的に制御し、運転モードに応じて四方弁１１８を切換える制御を行う。また、室外制御装置１４１は、室内温度と設定温度との差が所定偏差（例えば、１℃）よりも小さければ、圧縮機１１６の運転を停止するサーモオフ制御を行う。更に、室外制御装置１４１は、電動式膨張弁１２２を制御するための信号を送る。室内制御装置１４２は、送風ファン１２の回転速度の制御を行う。つまり、室外制御装置１４１は、実質的に空気調和機１の全体を制御している。
【００３０】
室外制御装置１４１は、ＣＰＵ１５１と、ＲＯＭ１５２と、ＲＡＭ１５３を備えている。ＣＰＵ１５１は、ＲＯＭ１５２内の制御プログラム１５２Ａに従って、空気調和機１全体の制御を行う。ＲＯＭ１５２は、制御プログラム１５２Ａを含む制御用データをあらかじめ記憶している。ＲＡＭ１５３は、各種データを一時的に記憶する。
【００３１】
室内機２側のリモコン５（図１参照）により、冷房運転、ドライ運転（弱冷房運転）、又は暖房運転のいずれかの運転モードに設定可能であり、四方弁１１８は、冷房運転、ドライ運転（弱冷房運転）のいずれかの運転モードに設定された場合に実線矢印で示すように切換えられ、暖房運転の運転モードに設定された場合には、点線矢印で示すように切換えられる。また、四方弁１１８は、暖房運転中に室外熱交換器１１９の除霜を行う除霜運転に切換わる場合には、実線矢印で示すように切換えられる。
【００３２】
冷房運転を行う運転モードに設定された場合、四方弁１１８が冷房側に切換えられ、冷媒が実線矢印の如く流れる。そして、圧縮機１１６の運転により圧縮機１１６から吐出された冷媒は、四方弁１１８を経て室外熱交換器１１９に至り、この室外熱交換器１１９で凝縮され、室外機３の電動式膨張弁１２２を経て減圧された後、室内熱交換器１１で蒸発されて室内を冷房する。室内熱交換器１１からの冷媒は、室外機３側に流され、この室外機３の四方弁１１８及びアキュムレータ１１７を経て圧縮機１１６に戻される。
【００３３】
ドライ運転を行う運転モードに設定された場合は、冷房運転よりも冷房能力の低い弱冷房運転を行って室内を除湿する。
【００３４】
また、暖房運転を行う運転モードに設定された場合、四方弁１１８が暖房側に切換えられ、冷媒が点線矢印の如く流れる。そして、圧縮機１１６の運転により圧縮機１１６から吐出された冷媒は、四方弁１１８を経て室内機２の室内熱交換器１１にて凝縮された冷媒は、室外機３の電動式膨張弁１２２で減圧され、室外熱交換器１１９で蒸発された後、四方弁１１８及びアキュムレータ１１７を経て圧縮機１１６に戻される。
【００３５】
室外機３の室外熱交換器１１９には、室外温度を検出するための室外温度センサ１３０及び室外湿度を検出するための室外湿度センサ１３２が取付けられている。この室外温度センサ１３０及び室外湿度センサ１３２は、例えば、室外熱交換器１１９を通過する空気の上流側に配設される。
【００３６】
また、室内機２の室内熱交換器１１には、室内温度を検出するための室内温度センサ１６０、室内湿度を検出するための室内湿度センサ１６２及び室内熱交換器１１の温度を検出するための室内熱交換器センサ１６３が取付けられている。この室内温度センサ１６０及び室内湿度センサ１６２は、例えば、室内熱交換器１１を通過する空気の上流側に配設される。
【００３７】
そして、室外温度センサ１３０、室外湿度センサ１３２、室内温度センサ１６０及び室内湿度センサ１６２によって検出された室外温度、室外湿度、室内温度及び室内湿度は前記ＲＡＭ１５３に一時的に記憶され、その記憶された温度データ及び湿度データを基に、冷房運転中或いはドライ運転中の場合は、室外空気の露点温度を算出し、前記室外空気の露点温度と室内熱交換器温度と比較し、また、暖房運転中の場合は、室外空気と室内空気双方の露点温度を算出、比較し給気運転を開始したり終了したりする。
【００３８】
図５は、本発明に係る空気調和機の一実施の形態を示す自動モード選択テーブルである。
【００３９】
前記自動モード選択テーブルは、図５に示すように、複数の室内温度設定値ＴＲ１、ＴＲ２、ＴＲ３及び複数の室外温度設定値ＴＯ１、ＴＯ２、ＴＯ３とを用いて複数の温度ゾーンが設定されたデータテーブルとなっている。
【００４０】
例えば、外気温度１８℃未満の場合、外気温度１８〜２０℃未満で室内温度２２℃未満の場合及び外気温度２２℃以上で室内温度１５℃未満の場合に暖房モードが選択される。また、外気温度１８〜２０℃未満の場合、外気温度２０〜２２℃未満で室内温度２２〜２７℃未満の場合及び外気温度２２℃以上で室内温度１５〜２７℃未満の場合に暖房モードが選択される。また、外気温度２０℃以上で室内温度２７℃以上の場合に冷房モードが選択されるようになっている。
【００４１】
次に、入タイマー運転時、自動運転モード時、手動運転モード時及びおやすみ運転時において行われる給気運転について説明する。
【００４２】
図６は入タイマー運転時における給気運転のフローチャートである。まず、空気調和機１が入タイマー運転の待機中か否かを室内制御装置１４２が判断する（ステップＳ１）。次に、室内制御装置１４２が入タイマー運転の待機中と判断すると、入タイマー運転開始まで２時間以内か否かを判断する（ステップＳ２）。入タイマー運転開始まで２時間以内と判断すると、前記自動モード選択テーブル（図５参照）に従って、選択される運転モードが冷房モード、ドライモード又は暖房モードかを判断する（ステップＳ３）。
【００４３】
次に、ステップＳ３において選択される運転モードが冷房モードと判断されると、室外及び室内温度センサ１３０、１６０によって検出された室外温度と室内温度とを比較し室外温度が室内温度よりも低いか否かを判断する。更に、室外温度センサ１３０及び室外湿度センサ１３２によって検出された値から室外露点温度を算出し、室外露点温度と室内熱交換器温度とを比較し室外露点温度が室内熱交換器温度よりも低いか否かを判断する（ステップＳ４）。そして、室外温度が室内温度より低く、かつ室外露点温度が室内露点温度より低いと判断した場合には、給気運転が開始される。ダンパ１６を開放し給気ファン１８を回転させ、室外空気を室内に取り入れる（ステップＳ５）。これにより第２通風路１７内には結露が生じることなく外気を取り入れて室内温度を下げることができる。
【００４４】
次に、ステップＳ６に移行しステップＳ４の条件を満たしている間、給気運転が継続される。室外温度が室内温度以上、又は室外露点温度が室内露点温度以上になると、ダンパ１６を閉鎖し、給気ファン１８を停止させて給気運転を停止する（ステップＳ７）。
【００４５】
また、ステップＳ１において入タイマー運転中でないと判断された場合、ステップＳ２において室内制御装置１４２が入タイマー運転開始まで２時間以内でないと判断された場合、及びステップＳ４において室外温度が室内温度よりも高いか、室外露点温度が室内露点温度よりも高いと判断された場合には、スタートへ戻り、再びステップＳ１からの判断を繰返す。
【００４６】
一方、ステップＳ３において、選択される運転モードがドライモードと判断されると、室外温度が室内温度よりも低いか否かを判断する。更に、室外露点温度を算出し、室外露点温度と室内熱交換器温度とを比較して室外露点温度が室内熱交換器温度よりも低いか否かを判断する（ステップＳ８）。そして、室外温度が室内温度より低く、かつ室外露点温度が室内露点温度より低いと判断した場合には、給気運転が開始される（ステップＳ９）。
【００４７】
次に、ステップＳ１０に移行しステップＳ８の条件を満たしている間、給気運転が継続される。そして室外温度が室内温度より高いか、又は室外露点温度が室内熱交換器温度より高くなると、ダンパ１６が閉鎖、給気ファン１８を停止して給気運転を停止する（ステップＳ７）。なお、ステップＳ８において室外温度が室内温度より高いか、又は室外露点温度が室内熱交換器温度より高いと判断された場合には、スタートへ戻り、再びステップＳ１からの判断を繰返す。
【００４８】
また一方、ステップＳ３において、選択される運転モードが暖房モードと判断されると、室外及び室内温度センサ１３０、１６０によって検出された室外温度と室内温度を比較し室外温度が室内温度よりも高いか否かを判断する。更に、室外及び室内温度センサ１３０、１６０と室外及び室内湿度センサ１３２、１６２によって検出された値から室外露点温度と室内露点温度を算出し比較し室外露点温度が室内露点温度よりも高いか否かを判断する（ステップＳ１１）。そして、室外温度が室内温度より高いか、又は室外露点温度が室内露点温度より高いと判断された場合には、給気運転が開始される。ダンパ１６を開放し給気ファン１８を回転させ、室外空気を室内に取り入れる（ステップＳ１２）。室外空気を室内に取り入れることにより室内が暖まるか、又は室内の湿度を上げることができる。これにより、冬場の暖房運転時において被空調室の乾燥を防ぐことができる。
【００４９】
次に、ステップＳ１３に移行しステップＳ１１の条件を満たしている間、給気運転が継続される。そして室外温度が室内温度以下、かつ室外露点温度が室内露点温度以下になると、ダンパ１６が閉鎖、給気ファン１８を停止して給気運転を停止する（ステップＳ７）。なお、ステップＳ１１において室外温度が室内温度よりも低く、かつ室外露点温度が室内露点温度よりも低いと判断された場合には、スタートへ戻り、再びステップＳ１からの判断を繰返す。
【００５０】
図７は本発明の自動運転モード時における給気運転のフローチャートである。自動運転モードはリモコン５に設けられた自動運転スイッチを操作することにより、自動モード選択テーブルに基づいて運転モードが選択される。
【００５１】
図７において、室内制御装置１４２は空気調和機１がどのモードで選択され運転されたかを判断する（ステップＳ２１）。そしてステップＳ２１において冷房モードが選択された場合には、ステップＳ２２、Ｓ２３、Ｓ２４、Ｓ２５に移行し給気運転が行われる。これらステップＳ２２〜Ｓ２５の動作は、前述した入タイマー運転時のステップＳ４〜Ｓ７の動作と同様のものである。
【００５２】
一方、ステップＳ２１においてドライモードが選択された場合には、ステップＳ２６、Ｓ２７、Ｓ２８、Ｓ２５に移行し給気運転が行われる。これらステップＳ２６、Ｓ２７、Ｓ２８、Ｓ２５の動作は、前述した入タイマー運転時のステップＳ８、Ｓ９、Ｓ１０、Ｓ７の動作と同様のものである。
【００５３】
また一方、ステップＳ２１において暖房モードが選択された場合には、ステップＳ２９、Ｓ３０、Ｓ３１、Ｓ２５に移行し給気運転が行われる。これらステップＳ２９、Ｓ３０、Ｓ３１、Ｓ２５の動作は、前述した入タイマー運転時のステップＳ１１、Ｓ１２、Ｓ１３、Ｓ７の動作と同様のものである。
【００５４】
図８は本発明の手動運転モードにおける給気運転のフローチャートである。手動運転モードはリモコン５に設けられた運転モード切換スイッチを操作することにより運転モードが選択される。
【００５５】
図８において、室内制御装置１４２は空気調和機１がどの運転モードで運転されたかを判断する（ステップＳ４１）。そしてステップＳ４１において冷房モードが選択された場合には、ステップＳ４２、Ｓ４３、Ｓ４４、Ｓ４５に移行し給気運転が行われる。これらステップＳ４２〜Ｓ４５の動作は、前述した入タイマー運転時のステップＳ４〜Ｓ７の動作と同様のものである。
【００５６】
一方、ステップＳ４１においてドライモードが選択された場合には、ステップＳ４６、Ｓ４７、Ｓ４８、Ｓ４５に移行し給気運転が行われる。これらステップＳ４６、Ｓ４７、Ｓ４８、Ｓ４５の動作は、前述した入タイマー運転時のステップＳ８、Ｓ９、Ｓ１０、Ｓ７の動作と同様のものである。
【００５７】
また一方、ステップＳ４１において暖房モードが選択された場合には、ステップＳ４９、Ｓ５０、Ｓ５１、Ｓ４５に移行し給気運転が行われる。これらステップＳ４９、Ｓ５０、Ｓ５１、Ｓ４５の動作は、前述した入タイマー運転時のステップＳ１１、Ｓ１２、Ｓ１３、Ｓ７の動作と同様のものである。
【００５８】
以上、入タイマー運転時、自動運転モード時及び手動運転モード時における給気運転では、室内温度と室外温度を比較して適宜室外空気を室内へ取り入れることによって、空気調和機１の消費電力低減を図ることができる。
【００５９】
また、入タイマー運転設定時など予め運転開始時間が分かっている場合において、運転開始前の空調負荷が大きい際には、室内温度と室外温度を比較して適宜室外空気を室内へ取り入れることにより、空気調和機１の立ち上がりを早くすることができると共に、立ち上がり時の消費電力を低減させることができる。
【００６０】
図９は本発明のおやすみ運転時における給気運転のフローチャートである。おやすみ運転はリモコン５に設けられたおやすみ運転スイッチを操作することにより行われる。
【００６１】
まず、該空気調和機が冷房或いはドライのおやすみ運転中か否かを室内制御器１４２が判断する（ステップＳ６１）。次に、室内制御装置１４２が冷房或いはドライのおやすみ運転中と判断すると、おやすみ運転開始後１時間経過したか否かを室内制御装置１４２が判断する（ステップＳ６２）。
【００６２】
一方、ステップＳ６１において、冷房或いはドライのおやすみ運転中でないと判断すると、ステップＳ６１の判断を繰返す。
【００６３】
次に、ステップＳ６２においておやすみ運転開始後１時間経過したと判断すると、設定温度を１℃セットバックして使用者が就寝中に寝冷えしないようにする（ステップＳ６３）。
【００６４】
次に、室内温度センサ１６０及び室外温度センサ１３０によって検出された室内温度と室外温度を比較し、室外温度が室内温度よりも低いか否かを判断する。更に、室外及び室内温度センサ１３０、１６０と室外及び室内湿度センサ１３２、１６２によって検出された値から室外露点温度と室内露点温度を算出し比較し室外露点温度が室内露点温度よりも低いか否かを判断する（ステップＳ６４）。そして、室外温度が室内温度より低く、かつ室外露点温度が室内露点温度より低いと判断された場合には、給気運転が開始される。ダンパ１６を開放し給気ファン１８を回転させ、室外空気を室内に取り入れる（ステップＳ６５）。
【００６５】
一方、ステップＳ６４において、室外温度が室内温度よりも高いと判断すると、ステップＳ６１へ戻り、再びステップＳ６１の判断を繰返す。
【００６６】
次に、室内温度と室外温度を比較し、室外温度が室内温度以上であるか否かを判断する（ステップＳ６６）。
【００６７】
そして、室外温度が室内温度以上であると判断すると、ダンパ１６を閉鎖し、給気ファン１８を停止させ、給気運転が終了となる（ステップＳ６７）。
【００６８】
一方、ステップＳ６６において、室外温度が室内温度よりも低いと判断すると、ステップＳ６５へ戻り、室外温度が室内温度以上となるまで給気運転が継続される。
【００６９】
また、ステップＳ６２においておやすみ運転開始後１時間経過していないか或いは１時間を越えたと判断すると、室内温度センサ１６０及び室外温度センサ１３０によって検出された室内温度と室外温度を比較し、室外温度が室内温度よりも低いか否かを判断する更に、室外露点温度と室内露点温度を算出し比較し室外露点温度が室内露点温度よりも低いか否かを判断する（ステップＳ６８）。そして、室外温度が室内温度より低く、かつ室外露点温度が室内露点温度より低いと判断された場合には、給気運転が開始される。ダンパ１６を開放し給気ファン１８を回転させ室外空気を室内に取り入れる（ステップＳ６９）。
【００７０】
一方、ステップＳ６８において、室外温度が室内温度よりも高いと判断すると、ステップＳ６１へ戻り、再びステップＳ６１の判断を繰返す。
【００７１】
次に、室内温度と室外温度を比較し、室外温度が室内温度以上であるか否かを判断する（ステップＳ７０）。
【００７２】
そして、室外温度が室内温度以上であると判断すると、ダンパ１６を閉鎖し、給気ファン１８を停止させ、給気運転が終了となる（ステップＳ６７）。
【００７３】
一方、ステップＳ７０において、室外温度が室内温度よりも低いと判断すると、ステップＳ６４へ戻り、室外温度が室内温度以上となるまで給気運転が継続される。
【００７４】
以上、おやすみ運転時における給気運転では、使用者の就寝時のような空調負荷は小さいが運転時間が長い場合に、室内温度と室外空気温度を比較して適宜室外空気導入を行うことにより、空気調和機１の消費電力低減を図ることができる。
【００７５】
以上、本発明の実施の形態について説明したが、本発明はこれに限定されるものではない。
【００７６】
例えば、図６のフローチャートのステップＳ２において、入タイマー運転開始の２時間前から室内温度と室外温度を検知して、適宜給気運転が開始されることとしたが、空気調和機１が設置される環境に応じて空調負荷が異なることが容易に予測されることから、必要に応じて使用者が給気運転の開始時間を設定変更できるようにしてもよい。
【００７７】
また、例えば、図９のフローチャートのステップＳ６３において、設定温度のセットバックを１℃としたが、使用者の好みに応じて自由に設定変更可能なものとしてもよいなど適宜応用可能である。
【００７８】
【発明の効果】
以上説明したように、本発明によれば、室内温度と室外温度を比較して適宜室外空気を室内へ取り入れることによって、空気調和機の消費電力低減を図ることができる。また、使用者の就寝時のような空調負荷は小さいが運転時間が長い場合において、室内温度と室外空気温度を比較して適宜室外空気導入を行うことにより、空気調和機の消費電力低減を図ることができる。
【００７９】
また、入タイマー運転設定時など予め運転開始時間が分かっている場合において、運転開始前の空調負荷が大きい際には、室内温度と室外空気温度を比較して適宜室外空気導入を行うことにより、空気調和機の立ち上がり時の消費電力を低減させることができる。
【００８０】
更に、冷房或いはドライ運転時に、室外露点温度と室内熱交換器温度とを比較して適宜室外空気を室内へ取り入れることによって、屋外から取り入れる空気の通風路（第２通風路）において通風路の結露を抑えて前記通風路内のダニやカビの発生を抑制することができる。また、暖房運転時に、室外露点温度と室内露点温度とを比較して適宜室外空気を室内へ取り入れることによって、被空調室の乾燥を防ぐことができる。
【図面の簡単な説明】
【図１】本発明における壁掛け形空気調和機とワイヤレスリモコンを示す説明図である。
【図２】図１の室内機の左断面図である。
【図３】図１の室内機の後ケース部を示すの正面図である。
【図４】本発明における空気調和機の冷媒回路及び制御系統を示す模式図である。
【図５】本発明における空気調和機の自動モード選択テーブルである。
【図６】本発明の入タイマー運転時の給気運転制御を示すフローチャートである。
【図７】本発明の自動運転モードにおける給気運転制御を示すフローチャートである。
【図８】本発明の手動運転モードにおける給気運転制御を示すフローチャートである。
【図９】本発明のおやすみ運転時の給気運転制御を示すフローチャートである。
【符号の説明】
１  空気調和機
２  室内機
２Ａ  前ケース部
２ｆ  吸込口
２Ｂ  吸込パネル
２Ｃ  後ケース部
３  室外機
５  ワイヤレスリモコン装置
６  ドレンパン
７  エアフィルタ
８  空気清浄フィルタ
９  吹出口
１１  室内熱交換器
１２  送風ファン
１２Ａ  送風ファンモータ
１５  第１通風路
１５Ａ  開口部
１６  ダンパ
１６Ａ  軸
１７  第２通風路
１７Ａ  ダクト部
１８  給気ファン
１８Ｂ  ケーシング
３３  ホース部
３３Ａ  ホースバンド
１１４  室外冷媒配管
１１５  室内冷媒配管
１１６  圧縮機
１１９  室外熱交換器
１２０  室外ファン
１２０Ａ  室外ファンモータ
１２２  電動式膨張弁
１３０  室外温度センサ
１３２  室外湿度センサ
１４０  制御装置
１４１  室外制御装置
１４２  室内制御装置
１５１  ＣＰＵ
１５２  ＲＯＭ
１５２Ａ  制御プログラム
１５３  ＲＡＭ（室内露点温度算出手段、室外露点温度算出手段）
１６０  室内温度センサ
１６２  室内湿度センサ
１６３  室内熱交換器センサ
【図１】
2005016830.tif 000003
【図２】
2005016830.tif 000004
【図３】
2005016830.tif 000005
【図４】
2005016830.tif 000006
【図５】
2005016830.tif 000007
【図６】
2005016830.tif 000008
【図７】
2005016830.tif 000009
【図８】
2005016830.tif 000010
【図９】
2005016830.tif 000011